(57)【要約】【課題】容易に壁などの設置場所（面）に設置することが可能な表示装置用ケーブルを提供する。【解決手段】この液晶テレビジョン用ケーブル２０（表示装置用ケーブル）は、電気信号からなる映像信号を液晶テレビジョン１０に伝送するためのＬＡＮケーブル２３と、液晶テレビジョン１０に電力を供給するための２本の電力供給線２４と、ＬＡＮケーブル２３および２本の電力供給線２４を覆うように設けられた第２保護被覆２６とを備える。また、２本の電力供給線２４のそれぞれをＬＡＮケーブル２３を挟むようにＬＡＮケーブル２３の両側に配置するとともに、第２保護被覆２６が扁平形状の外形形状を有するように構成されている。【選択図】図３
2011003331.tif 000002
【特許請求の範囲】
【請求項１】
電気信号からなる映像信号を表示装置に伝送するための電気信号線と、
前記表示装置に電力を供給するための２本の電力供給線と、
前記電気信号線および前記２本の電力供給線を覆うように設けられた保護被覆とを備え、
前記２本の電力供給線のそれぞれを前記電気信号線を挟むように前記電気信号線の両側に配置するとともに、前記保護被覆が扁平形状の外形形状を有するように構成されている、表示装置用ケーブル。
【請求項２】
前記保護被覆を台形形状、長方形形状、楕円形状、および、前記２本の電力供給線に対応する両端部の厚みよりも前記電気信号線に対応する中央部の厚みの方が小さい形状のうちのいずれか１つの扁平形状の外形形状を有するように構成されている、請求項１に記載の表示装置用ケーブル。
【請求項３】
前記電気信号線は、複数の電気信号導線を含み、
前記保護被覆は、前記複数の電気信号導線のうちの個々の前記電気信号導線を覆う第１保護被覆と、前記第１保護被覆に覆われた前記複数の電気信号導線の全ておよび前記２本の電力供給線を覆う第２保護被覆とを含み、
前記第２保護被覆が扁平形状の外形形状を有するように構成されている、請求項１または２に記載の表示装置用ケーブル。
【請求項４】
前記保護被覆は、前記２本の電力供給線と、前記電気信号線との両方を直接覆うとともに、扁平形状の外形形状を有するように構成されている、請求項１または２に記載の表示装置用ケーブル。
【請求項５】
前記２本の電力供給線は、それぞれ、前記複数の電気信号導線の各々の断面積よりも大きい断面積を有する、請求項１〜４のいずれか１項に記載の表示装置用ケーブル。
【請求項６】
前記２本の電力供給線のそれぞれに挟まれるように配置された前記電気信号線は、第１ＬＡＮケーブルまたはＨＤＭＩケーブルを含む、請求項１〜５のいずれか１項に記載の表示装置用ケーブル。
【請求項７】
前記２本の電力供給線のそれぞれに挟まれるように配置された前記電気信号線は、前記第１ＬＡＮケーブルである、請求項６に記載の表示装置用ケーブル。
【請求項８】
前記２本の電力供給線のそれぞれに挟まれるように配置された前記第１ＬＡＮケーブルの端部近傍には、前記第１ＬＡＮケーブルとは別の第２ＬＡＮケーブルと接続するためのＬＡＮポートが設けられている、請求項７に記載の表示装置用ケーブル。
【請求項９】
前記２本の電力供給線と前記電気信号線とは、分岐するように配置されており、
前記２本の電力供給線と前記電気信号線とが分岐する部分の近傍に設けられたノイズ除去部材をさらに備える、請求項１〜８のいずれか１項に記載の表示装置用ケーブル。
【請求項１０】
前記扁平形状の外形形状を有する保護被覆は、半透明である、請求項１〜９のいずれか１項に記載の表示装置用ケーブル。
【請求項１１】
前記扁平形状の外形形状を有する保護被覆の表面には、前記保護被覆を接着しやすくするための梨地加工が施されている、請求項１〜１０のいずれか１項に記載の表示装置用ケーブル。
【請求項１２】
電気信号からなる映像信号に対応する映像を表示する表示部を含むテレビジョン装置と、
前記表示部に映像を表示させるための映像信号を送信するための外部入力装置と、
電気信号からなる映像信号を前記テレビジョン装置に伝送するための電気信号線と、前記テレビジョン装置に電力を供給するための２本の電力供給線と、前記電気信号線および前記２本の電力供給線を覆うように設けられた保護被覆とを含むテレビジョン装置用ケーブルとを備え、
前記テレビジョン装置用ケーブルに含まれる前記２本の電力供給線のそれぞれを前記電気信号線を挟むように前記電気信号線の両側に配置するとともに、前記保護被覆が扁平形状の外形形状を有するように構成されており、
前記外部入力装置からの映像信号は、前記テレビジョン装置用ケーブルの前記電気信号線を介して、前記テレビジョン装置に送信されるように構成されている、テレビジョンシステム。
【請求項１３】
前記テレビジョン装置用ケーブルは、第１ＬＡＮケーブルまたはＨＤＭＩケーブルを含み、
前記外部入力装置からの映像信号は、前記第１ＬＡＮケーブルまたは前記ＨＤＭＩケーブルを介して、前記テレビジョン装置に送信されるように構成されている、請求項１２に記載のテレビジョンシステム。
【請求項１４】
前記外部入力装置からの映像信号は、前記第１ＬＡＮケーブルを介して、前記テレビジョン装置に送信されるように構成されている、請求項１３に記載のテレビジョンシステム。
【請求項１５】
前記外部入力装置に取り付けられた第２ＬＡＮケーブルをさらに備え、
前記２本の電力供給線のそれぞれに挟まれるように配置された前記第１ＬＡＮケーブルの端部近傍には、前記第１ＬＡＮケーブルとは別の前記第２ＬＡＮケーブルと接続するためのＬＡＮポートが設けられており、
前記外部入力装置からの映像信号は、前記外部入力装置に取り付けられた前記第２ＬＡＮケーブル、前記ＬＡＮポートおよび前記第１ＬＡＮケーブルを介して、前記テレビジョン装置に送信されるように構成されている、請求項１４に記載のテレビジョンシステム。
【発明の詳細な説明】
【技術分野】
【０００１】
この発明は、表示装置用ケーブルおよびテレビジョンシステムに関し、特に、信号を伝送するための電気信号線および電力を供給するための電力供給線を備える表示装置用ケーブルおよびテレビジョンシステムに関する。
【背景技術】
【０００２】
従来、信号を伝送するための電気信号線および電力を供給するための電力供給線を備える表示装置用ケーブルおよびテレビジョンシステムが知られている（たとえば、特許文献１〜４参照）。
【０００３】
上記特許文献１には、ＶＴＲ機器と、ＴＶ機器と、ＶＴＲ機器とＴＶ機器とを接続するための光電複合ケーブルとを備えた光電複合リンク型ＶＴＲ機器およびＴＶ機器が開示されている。この光電複合ケーブルは、ＶＴＲ機器とＴＶ機器との間で光信号の伝送を行うための光ファイバと、ＶＴＲ機器とＴＶ機器との間で電力の供給を行うための電力線とから構成されている。そして、光ファイバと電力線とが一緒に被覆されることにより、光ファイバと電力線とは、円形形状の外形形状を有する１本のケーブルにまとめられている。
【０００４】
また、上記特許文献２には、ＣＰＵなどの制御回路が設けられたホスト装置と、信号線と、電源線とを備えた小型表示装置および表示システムが開示されている。このホスト装置には、信号線と電源線とが接続されており、信号線と電源線とは、１本のケーブルにまとめられている。
【０００５】
また、上記特許文献３には、テレビ受信部と、テレビ受信部に取り付けられた複合コネクタと、複合コネクタに接続されるアンテナ制御線および電源線とを備えたテレビ放送受信システムが開示されている。このアンテナ制御線と電源線とは、一緒に被覆されることにより、円形形状の外形形状を有する１本のケーブルにまとめられている。
【０００６】
また、上記特許文献４には、車載カメラと、モニタ表示装置と、車載カメラとモニタ表示装置とを接続するための円形形状の外形形状を有する同軸ケーブルとを備えた車載監視カメラシステムが開示されている。この車載カメラ監視システムに設けられている同軸ケーブルは、車載カメラと、モニタ表示装置との間において、映像信号および電力信号の伝送が行われるように構成されている。
【先行技術文献】
【特許文献】
【０００７】
【特許文献１】特開平９−９１５５号公報
【特許文献２】特開２００２−４１１８８号公報
【特許文献３】特開２００５−２４４８８９号公報
【特許文献４】実開平７−３３０７９号公報
【発明の概要】
【発明が解決しようとする課題】
【０００８】
しかしながら、上記特許文献１に記載の光電複合ケーブルでは、光ファイバと電力線とが円形形状の外形形状を有する１本のケーブルにまとめられているため、ケーブルの直径は、少なくとも光ファイバの直径と電力線の直径との合計以上になる。このため、ケーブル自体が太くなってしまう。このように、円形形状で、かつ、太いケーブルは、設置面に対する接触面積が小さく、かつ、設置面からの突出量が大きくなるので、壁などの設置場所（面）に設置しにくいという問題点がある。
【０００９】
また、上記特許文献２に記載の小型表示装置および表示システムでは、信号線と電源線とのまとめ方については記載されていないが、信号線と電源線とが円形形状の外形形状を有する１本のケーブルにまとめられた場合には、ケーブルの直径は、少なくとも信号線の直径と電源線の直径との合計以上になると考えられる。このため、ケーブル自体が太くなってしまう。このように、円形形状で、かつ、太いケーブルは、設置面に対する接触面積が小さく、かつ、設置面からの突出量が大きくなるので、壁などの設置場所（面）に設置しにくいという問題点がある。
【００１０】
また、上記特許文献３に記載のテレビ放送受信システムでは、アンテナ制御線と電源線とが円形形状の外形形状を有する１本のケーブルにまとめられているので、ケーブルの直径は、少なくともアンテナ制御線の直径と電源線の直径との合計以上になる。このため、ケーブル自体が太くなってしまう。このように、円形形状で、かつ、太いケーブルは、設置面に対する接触面積が小さく、かつ、設置面からの突出量が大きくなるので、壁などの設置場所（面）に設置しにくいという問題点がある。
【００１１】
また、上記特許文献４に記載の車載監視カメラシステムでは、円形形状の外形形状を有する同軸ケーブルが用いられており、映像信号（電源信号）が送信される導線の周りに絶縁膜を介して電源信号（映像信号）が伝送される導線が設けられているので、導線が同心円状に設けられる分、ケーブル自体が太くなってしまう。このように、円形形状で、かつ、太いケーブルは、設置面に対する接触面積が小さく、かつ、設置面からの突出量が大きくなるので、壁などの設置場所（面）に設置しにくいという問題点がある。
【００１２】
この発明は、上記のような課題を解決するためになされたものであり、この発明の１つの目的は、容易に壁などの設置場所（面）に設置することが可能な表示装置用ケーブルおよびそのようなケーブルを備えたテレビジョンシステムを提供することである。
【課題を解決するための手段および発明の効果】
【００１３】
この発明の第１の局面による表示装置用ケーブルは、電気信号からなる映像信号を表示装置に伝送するための電気信号線と、表示装置に電力を供給するための２本の電力供給線と、電気信号線および２本の電力供給線を覆うように設けられた保護被覆とを備え、２本の電力供給線のそれぞれを電気信号線を挟むように電気信号線の両側に配置するとともに、保護被覆が扁平形状の外形形状を有するように構成されている。
【００１４】
この第１の局面による表示装置用ケーブルでは、上記のように、保護被覆が扁平形状の外形形状を有すことにより、保護被覆が円形形状の外形形状を有する場合と比べて、表示装置用ケーブルの設置面からの突出高さ（厚み）を小さくすることができるとともに、表示装置用ケーブルの幅を大きくすることができる。これにより、表示装置用ケーブルを壁などの設置場所（設置面）に設置した際に、表示装置用ケーブルの保護被覆と、設置場所（面）との接触面積を大きくすることができるとともに、設置面からの突出量も小さくすることができるので、容易に壁などの設置場所（面）に表示装置用ケーブルを設置することができる。また、電気信号線を細い導線で構成するとともに、２本の電力供給線を太い導線で構成した場合には、２本の太い電力供給線が細い電気信号線を補強する役割を有するので、表示装置用ケーブルの曲げ伸ばしを繰り返すことにより生じる電気信号線の劣化を抑制することができる。これにより、表示装置用ケーブル全体の機械的強度を向上させることができる。
【００１５】
上記第１の局面による表示装置用ケーブルにおいて、好ましくは、保護被覆を台形形状、長方形形状、楕円形状、および、２本の電力供給線に対応する両端部の厚みよりも電気信号線に対応する中央部の厚みの方が小さい形状のうちのいずれか１つの扁平形状の外形形状を有するように構成されている。このように構成すれば、たとえば、保護被覆が円形形状の外形形状を有する場合と比べて、表示装置用ケーブルの設置面からの突出高さ（厚み）を小さくすることができるとともに、表示装置用ケーブルの幅を大きくすることができる。これにより、表示装置用ケーブルを壁などの設置場所（設置面）に設置した際に、表示装置用ケーブルの保護被覆と、設置場所（面）との接触面積をより大きくすることができるとともに、設置面からの突出量も小さくすることができるので、容易に壁などの設置場所（面）にケーブルを設置することができる。
【００１６】
上記第１の局面による表示装置用ケーブルにおいて、好ましくは、電気信号線は、複数の電気信号導線を含み、保護被覆は、複数の電気信号導線のうちの個々の電気信号導線を覆う第１保護被覆と、第１保護被覆に覆われた複数の電気信号導線の全ておよび２本の電力供給線を覆う第２保護被覆とを含み、第２保護被覆が扁平形状の外形形状を有するように構成されている。このように構成すれば、電気信号導線を覆っている第１保護被覆または第２保護被覆の一方が破損した場合でも、第１保護被覆または第２保護被覆の他方の破損していない保護被覆により、電気信号導線を保護することができる。
【００１７】
上記第１の局面による表示装置用ケーブルにおいて、好ましくは、保護被覆は、２本の電力供給線と、電気信号線との両方を直接覆うとともに、扁平形状の外形形状を有するように構成されている。このように構成すれば、２本の電力供給線と電気信号線との両方が１つの保護被覆により直接覆われるので、２本の電力供給線と電気信号線との両方が複数の保護被覆により覆われる場合と比べて、表示装置用ケーブルの構造を簡素化することができる。
【００１８】
上記第１の局面による表示装置用ケーブルにおいて、好ましくは、２本の電力供給線は、それぞれ、複数の電気信号導線の各々の断面積よりも大きい断面積を有する。このように構成すれば、２本の電力供給線が電気信号導線よりも太くなるので、表示装置用ケーブル全体の曲げ伸ばしに対する機械的強度をより向上させることができる。
【００１９】
上記第１の局面による表示装置用ケーブルにおいて、好ましくは、２本の電力供給線のそれぞれに挟まれるように配置された電気信号線は、第１ＬＡＮケーブルまたはＨＤＭＩケーブルを含む。このように構成すれば、第１ＬＡＮケーブルまたはＨＤＭＩケーブルを用いて、容易に、扁平形状の外形形状を有する表示装置用ケーブルを構成することができる。
【００２０】
この場合、好ましくは、２本の電力供給線のそれぞれに挟まれるように配置された電気信号線は、第１ＬＡＮケーブルである。なお、第１ＬＡＮケーブルは、一般的なＬＡＮケーブルのみならず、ＬＡＮケーブル規格相当の線も含む、広い概念である。このように構成すれば、たとえば、この第１ＬＡＮケーブルを用いる場合は、映像信号を高周波信号に変換して伝送することによって、ケーブル自体の長さを長くした場合にも、映像信号の欠損を少なくすることができる。
【００２１】
上記第１ＬＡＮケーブルを備える表示装置用ケーブルにおいて、好ましくは、２本の電力供給線のそれぞれに挟まれるように配置された第１ＬＡＮケーブルの端部近傍には、第１ＬＡＮケーブルとは別の第２ＬＡＮケーブルと接続するためのＬＡＮポートが設けられている。このように構成すれば、電力供給線と長さを合わせるために第１ＬＡＮケーブルが短くなったとしても、第１ＬＡＮケーブルに対して、第１ＬＡＮケーブルとは別の第２ＬＡＮケーブルをＬＡＮポートにおいて容易に接続することができるので、ＬＡＮケーブルのみを容易に長くすることができる。
【００２２】
上記第１の局面による表示装置用ケーブルにおいて、好ましくは、２本の電力供給線と電気信号線とは、分岐するように配置されており、２本の電力供給線と電気信号線とが分岐する部分の近傍に設けられたノイズ除去部材をさらに備える。このように構成すれば、たとえば、表示装置用ケーブルとしてまとめられた電力供給線または電気信号線から発せられるノイズを除去することができるので、表示装置用ケーブルとしてまとめられた電力供給線または電気信号線が互いに影響を及ぼしてしまうのを抑制することができる。
【００２３】
上記第１の局面による表示装置用ケーブルにおいて、好ましくは、扁平形状の外形形状を有する保護被覆は、半透明である。このように構成すれば、保護被覆を着色する場合に比べて保護被覆を目立ちにくくすることができる。
【００２４】
上記第１の局面による表示装置用ケーブルにおいて、好ましくは、扁平形状の外形形状を有する保護被覆の表面には、保護被覆を接着しやすくするための梨地加工が施されている。このように構成すれば、たとえば、ケーブルを壁面などの設置場所に配置する際に、容易に、ケーブルを壁面に接着させることができる。
【００２５】
この発明の第２の局面によるテレビジョンシステムは、電気信号からなる映像信号に対応する映像を表示する表示部を含むテレビジョン装置と、表示部に映像を表示させるための映像信号を送信するための外部入力装置と、電気信号からなる映像信号をテレビジョン装置に伝送するための電気信号線と、テレビジョン装置に電力を供給するための２本の電力供給線と、電気信号線および２本の電力供給線を覆うように設けられた保護被覆とを含むテレビジョン装置用ケーブルとを備え、テレビジョン装置用ケーブルに含まれる２本の電力供給線のそれぞれを電気信号線を挟むように電気信号線の両側に配置するとともに、保護被覆が扁平形状の外形形状を有するように構成されており、外部入力装置からの映像信号は、テレビジョン装置用ケーブルの電気信号線を介して、テレビジョン装置に送信されるように構成されている。
【００２６】
この第２の局面によるテレビジョンシステムでは、上記のように、テレビジョン装置用ケーブルの２本の電力供給線のそれぞれを電気信号線を挟むように電気信号線の両側に配置することによって、保護被覆が扁平形状の外形形状を有するので、保護被覆が円形形状の外形形状を有する場合と比べて、テレビジョン装置用ケーブルの設置面からの突出高さ（厚み）を小さくすることができるとともに、テレビジョン装置用ケーブルの幅を大きくすることができる。これにより、テレビジョン装置用ケーブルを壁などの設置場所（設置面）に設置した際に、テレビジョン装置用ケーブルの保護被覆と、設置場所（面）との接触面積を大きくすることができるとともに、設置面からの突出量も小さくすることができるので、容易に壁などの設置場所（面）にテレビジョン装置用ケーブルを設置することができる。また、電気信号線を細い導線で構成するとともに、２本の電力供給線を太い導線で構成した場合には、２本の太い電力供給線が細い電気信号線を補強する役割を有するので、テレビジョン装置用ケーブルの曲げ伸ばしを繰り返すことにより生じる電気信号線の劣化を抑制することができる。これにより、テレビジョン装置用ケーブル全体の機械的強度を向上させることができる。そして、扁平形状の外形形状を有するテレビジョン装置用ケーブルを用いて、容易に、外部入力装置と、液晶テレビジョンとの間で映像信号の送受信を確実に行うことができる。
【００２７】
上記第２の局面によるテレビジョンシステムにおいて、好ましくは、テレビジョン装置用ケーブルは、第１ＬＡＮケーブルまたはＨＤＭＩケーブルを含み、外部入力装置からの映像信号は、第１ＬＡＮケーブルまたはＨＤＭＩケーブルを介して、テレビジョン装置に送信されるように構成されている。このように構成すれば、第１ＬＡＮケーブルまたはＨＤＭＩケーブルを用いて、容易に、扁平形状の外形形状を有するテレビジョン装置用ケーブルが構成されるとともに、外部入力装置と、テレビジョン装置との間で映像信号の送受信を容易に行うことができる。
【００２８】
この場合、好ましくは、外部入力装置からの映像信号は、第１ＬＡＮケーブルを介して、テレビジョン装置に送信されるように構成されている。このように構成すれば、たとえば、映像信号を高周波信号に変換して伝送することにより、ＬＡＮケーブル（第１ＬＡＮケーブル）では、ケーブルの長さに関わらずデータの欠損を少なくすることができるので、長さの大きいテレビジョン装置用ケーブルが構成可能であるとともに、外部入力装置と、テレビジョン装置との間で映像信号の送受信を確実に行うことができる。
【００２９】
上記第１ＬＡＮケーブルを備えるテレビジョンシステムにおいて、好ましくは、外部入力装置に取り付けられた第２ＬＡＮケーブルをさらに備え、２本の電力供給線のそれぞれに挟まれるように配置された第１ＬＡＮケーブルの端部近傍には、第１ＬＡＮケーブルとは別の第２ＬＡＮケーブルと接続するためのＬＡＮポートが設けられており、外部入力装置からの映像信号は、外部入力装置に取り付けられた第２ＬＡＮケーブル、ＬＡＮポートおよび第１ＬＡＮケーブルを介して、テレビジョン装置に送信されるように構成されている。このように構成すれば、電力供給線と長さを合わせるために第１ＬＡＮケーブルが短くなったとしても、第１ＬＡＮケーブルに対して、第１ＬＡＮケーブルとは別の外部入力装置に取り付けられた第２ＬＡＮケーブルをＬＡＮポートにおいて容易に接続することができるので、ＬＡＮケーブルのみを容易に長くすることができる。
【図面の簡単な説明】
【００３０】
【図１】本発明の第１実施形態によるテレビジョンシステムの構成を示した概略図である。
【図２】本発明の第１実施形態によるテレビジョンシステムの構成を示したブロック図である。
【図３】本発明の第１実施形態による台形形状の外形形状を有する表示装置用ケーブルの断面図である。
【図４】本発明の第１実施形態による表示装置用ケーブルの第２被覆の表面の梨地加工を示した図である。
【図５】本発明の第２実施形態による長方形形状の外形形状を有する表示装置用ケーブルの断面図である。
【図６】本発明の第３実施形態による楕円形状の外形形状を有する表示装置用ケーブルの断面図である。
【図７】本発明の第４実施形態による２本の電力供給線に対応する両端部の厚みよりも電気信号線に対応する中央部の厚みの方が小さい外形形状を有する表示装置用ケーブルの断面図である。
【図８】本発明の変形例による長方形形状の外形形状を有する表示装置用ケーブルの断面図である。
【発明を実施するための形態】
【００３１】
以下、本発明を具体化した実施形態を図面に基づいて説明する。
【００３２】
（第１実施形態）
図１〜図４を参照して、本発明の第１実施形態によるテレビジョンシステム１００の構成について説明する。
【００３３】
本発明の第１実施形態によるテレビジョンシステム１００は、図１に示すように、映像信号に対応する映像を表示する表示部１１を含む液晶テレビジョン１０と、液晶テレビジョン１０に取り付けられた液晶テレビジョン用ケーブル２０と、表示部１１に映像を表示させるための映像信号を送信するためのＢＤ（Ｂｌｕ−ｒａｙ  Ｄｉｓｃ）プレーヤまたはチューナユニットなどからなる外部入力装置３０と、外部入力装置３０に取り付けられたＬＡＮ（Ｌｏｃａｌ  Ａｒｅａ  Ｎｅｔｗｏｒｋ）ケーブル４０とにより主に構成されている。なお、ＬＡＮケーブル４０は、本発明の「第２ＬＡＮケーブル」の一例である。また、液晶テレビジョン１０は、本発明の「表示装置」および「テレビジョン装置」の一例であり、液晶テレビジョン用ケーブル２０は、本発明の「表示装置用ケーブル」および「テレビジョン装置用ケーブル」の一例である。なお、第１実施形態では、ＬＡＮケーブルの一例として、１０Ｂａｓｅ−Ｔ、１００Ｂａｓｅ−ＴＸおよびＡＴＭ（非同期転送モード）などの高速ＬＡＮに使用されるカテゴリー５（ＣＡＴ５）のＬＡＮケーブルが用いられている。
【００３４】
また、図２に示すように、液晶テレビジョン１０は、表示部１１と、信号変換部１２と、音声出力部１３と、電源部１４と、制御部（ＣＰＵ）１５とを備えている。信号変換部１２は、表示部１１、音声出力部１３および制御部１５と接続されている。また、制御部１５は、電源部１４と接続されている。
【００３５】
ここで、第１実施形態では、図１に示すように、液晶テレビジョン用ケーブル２０に含まれる後述するＬＡＮケーブル２３の端部近傍には、ＬＡＮケーブル４０と接続するためのＬＡＮポート２１が設けられている。なお、ＬＡＮケーブル２３は、本発明の「電気信号線」および「第１ＬＡＮケーブル」の一例である。なお、ＬＡＮケーブル２３は、一般的なＬＡＮケーブルのみならず、ＬＡＮケーブル規格相当の線も含む、広い概念である。また、ＬＡＮポート２１は、ＲＪ４５モジュラジャック（Ｍｏｄｕｌａｒ  Ｊａｃｋ）などの接続端子から構成されている。
【００３６】
また、第１実施形態では、図３に示すように、液晶テレビジョン用ケーブル２０は、電気信号からなる映像信号を液晶テレビジョン１０（図１参照）に伝送するための８本の電気信号導線２２を含むＬＡＮケーブル２３と、液晶テレビジョン１０に電力を供給するための２本の電力供給線２４とを含んでいる。また、ＬＡＮケーブル２３の８本の電気信号導線２２は、Ｙ方向に２列に積み重なるように構成されている。
【００３７】
また、第１実施形態では、液晶テレビジョン用ケーブル２０は、２本の電力供給線２４のそれぞれをＬＡＮケーブル２３を挟むようにＬＡＮケーブル２３の両側に配置されるように構成されている。具体的には、ＬＡＮケーブル２３は、液晶テレビジョン用ケーブル２０の中央部近傍に配置されている。また、ＬＡＮケーブル２３の矢印Ｘ１方向側および矢印Ｘ２方向側には、それぞれ、電力供給線２４が配置されている。
【００３８】
また、第１実施形態では、液晶テレビジョン用ケーブル２０は、８本の電気信号導線２２のうちの個々の電気信号導線２２を覆う樹脂からなる第１保護被覆２５と、第１保護被覆２５に覆われた８本の電気信号導線２２の全ておよび２本の電力供給線２４を覆う樹脂からなる第２保護被覆２６とを含んでいる。また、第１保護被覆２５および第２保護被覆２６により電気信号導線２２を覆う保護被覆を２重構成にすることにより、液晶テレビジョン用ケーブル２０が湾曲した際に、第１保護被覆２５を第２保護被覆２６に対して摺動させることが可能である。
【００３９】
また、液晶テレビジョン用ケーブル２０の第２保護被覆２６は、矢印Ｙ１方向側が設置場所（面）側である場合には、Ｙ方向の長さ（ケーブル厚み）Ｌ１は、Ｘ方向の長さ（ケーブル幅）Ｌ２よりも小さくなるように形成されている。また、第１実施形態では、２本の電力供給線２４の断面積Ａおよび外形は、それぞれ、ＬＡＮケーブル２３の８本の電気信号導線２２の各々の断面積Ｂおよび外径よりも大きい。
【００４０】
また、第１実施形態では、液晶テレビジョン用ケーブル２０の第２保護被覆２６は、液晶テレビジョン用ケーブル２０のケーブル厚み（Ｌ１）に比べて液晶テレビジョン用ケーブル２０のケーブル幅（Ｌ２）の大きい略台形形状（扁平形状）に近い外形形状を有するように構成されている。すなわち、第２保護被覆２６の底辺（下面）２６ａは、平坦面形状を有している。また、第２保護被覆２６の上面２６ｂの中央部は、平坦面形状を有している。また、第２保護被覆２６の側面２６ｃおよび２６ｄは、下方に向かうにしたがって幅が広がるように傾斜している。また、第２保護被覆２６の上面２６ｂと、第２保護被覆２６の側面２６ｃおよび２６ｄとの境界部は、丸形形状を有している。また、第２保護被覆２６の側面２６ｃおよび２６ｄの底辺（下面）２６ａ側の根元部は、側面２６ｃおよび２６ｄの中央部の底面（下面）２６ａに対する傾斜角度よりも幅の広がるような傾斜角度（底面２６ａに対してより小さい傾斜角度）を有している。
【００４１】
また、第１実施形態では、図１に示すように、２本の電力供給線２４とＬＡＮケーブル２３とが分岐する部分の近傍には、フェライトコアなどからなるノイズ除去部材２７が設けられている。
【００４２】
また、図３に示すように、液晶テレビジョン用ケーブル２０の第１保護被覆２５および第２保護被覆２６は、半透明の樹脂からなっており、液晶テレビジョン用ケーブル２０の外側からＬＡＮケーブル２３および２本の電力供給線２４の色（銅などの金属色）が見えるように構成されている。なお、半透明の樹脂とは、クリアな素材のみならず、青色に着色された半透明の樹脂や、茶色に着色された半透明の樹脂などのように着色された半透明の樹脂も含む、広い概念である。また、図４に示すように、液晶テレビジョン用ケーブル２０の第２保護被覆２６の表面には、液晶テレビジョン用ケーブル２０を壁面などの設置場所に接着しやすくするための梨地（梨目）加工が施されている。また、第２保護被覆２６の表面に梨地加工を施すことにより、施工用のテープなどを貼りやすくすることが可能である。また、液晶テレビジョン用ケーブル２０を設置場所に配置する際に、半透明の第２保護被覆２６の表面に設置場所の色と同様の色のカラーテープを貼り付けることによって、マスクをしてもよい。また、液晶テレビジョン用ケーブル２０の設置場所（面）側に両面テープを貼付して、液晶テレビジョン用ケーブル２０を設置場所に貼り付けてもよい。また、液晶テレビジョン用ケーブル２０を施工用のクリップなどを用いて壁面に固定してもよい。
【００４３】
また、第１実施形態では、図２に示すように、外部入力装置３０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応したＨＤＭＩ信号を送信（出力）することが可能な送信部３１と、送信部３１から送信されたＨＤＭＩ信号を所定の高周波信号に変換するとともに、変換された高周波信号をＬＡＮケーブル４０に出力することが可能な信号変換部３２とを備えている。この変換された高周波信号は、ＬＡＮケーブル４０、ＬＡＮポート２１およびＬＡＮケーブル２３を介して液晶テレビジョン１０に伝送されるように構成されている。
【００４４】
また、ＬＡＮケーブル４０から伝送された高周波信号は、液晶テレビジョン１０の信号変換部１２に入力されるように構成されている。また、信号変換部１２に入力された高周波信号は、ＨＤＭＩ規格に対応したＨＤＭＩ信号に変換され、変換されたＨＤＭＩ信号は、表示部１１および音声出力部１３に出力される。そして、表示部１１にＨＤＭＩ信号に基づいた映像が表示されるとともに、音声出力部１３からＨＤＭＩ信号に基づいた音声が出力されるように構成されている。
【００４５】
また、液晶テレビジョン用ケーブル２０の２本の電力供給線２４から供給された電力は、電源部１４に供給されるように構成されている。また、電源部１４に供給された電力は、制御部１５に供給されるように構成されている。
【００４６】
第１実施形態では、上記のように、第２保護被覆２６が略台形形状（扁平形状）の外形形状を有すことによって、第２保護被覆２６が円形形状の外形形状を有する場合と比べて、第２保護被覆２６の設置面からの突出高さ（ケーブル厚みＬ１）を小さくすることができるとともに、第２保護被覆２６のケーブル幅Ｌ２を大きくすることができる。これにより、液晶テレビジョン用ケーブル２０を壁などの設置場所（設置面）に設置した際に、第２保護被覆２６と、設置場所（面）との接触面積を大きくすることができるとともに、設置面からの突出量も小さくすることができるので、容易に壁などの設置場所（面）に液晶テレビジョン用ケーブル２０を設置することができる。また、ＬＡＮケーブル２３を細い導線で構成するとともに、２本の電力供給線２４を太い導線で構成した場合には、２本の太い電力供給線２４が細いＬＡＮケーブル２３を補強する役割を有するので、ケーブルの曲げ伸ばしを繰り返すことにより生じるＬＡＮケーブル２３の劣化を抑制することができる。これにより、液晶テレビジョン用ケーブル２０全体の機械的強度を向上させることができる。
【００４７】
また、第１実施形態では、上記のように、第２保護被覆２６を略台形形状の外形形状を有すことによって、たとえば、第２保護被覆２６が円形形状の外形形状を有するように構成する場合と比べて、第２保護被覆２６の設置面からの突出高さ（ケーブル厚みＬ１）を小さくすることができるとともに、第２保護被覆２６のケーブル幅Ｌ２を大きくすることができる。これにより、液晶テレビジョン用ケーブル２０を壁などの設置場所（設置面）に設置した際に、液晶テレビジョン用ケーブル２０の保護被覆２６と、設置場所（面）との接触面積を大きくすることができるとともに、設置面からの突出量も小さくすることができるので、容易に壁などの設置場所（面）に液晶テレビジョン用ケーブル２０を設置することができる。
【００４８】
また、第１実施形態では、上記のように、保護被覆は、８本の電気信号導線２２のうちの個々の電気信号導線２２を覆う第１保護被覆２５と、第１保護被覆２５に覆われた８本の電気信号導線２２の全ておよび２本の電力供給線２４を覆う第２保護被覆２６とを含み、第２保護被覆２６を扁平形状の外形形状を有するように構成することによって、電気信号導線２２を覆っている第１保護被覆２５または第２保護被覆２６の一方が破損した場合でも、第１保護被覆２５または第２保護被覆２６の他方の破損していない保護被覆により、電気信号導線２２を保護することができる。
【００４９】
また、第１実施形態では、上記のように、２本の電力供給線２４が、それぞれ、８本の電気信号導線２２の各々の断面積よりも大きい断面積を有することによって、２本の電力供給線２４が電気信号導線２２よりも太くなるので、液晶テレビジョン用ケーブル２０全体の曲げ伸ばしに対する機械的強度をより向上させることができる。
【００５０】
また、第１実施形態では、上記のように、２本の電力供給線２４のそれぞれに挟まれるように配置された８本の電気信号導線２２を、ＬＡＮケーブル２３にすることによって、たとえば、ＬＡＮケーブル２３を用いる場合は、映像信号を高周波信号に変換して伝送することによって、ケーブル自体の長さを長くした場合にも、映像信号の欠損を少なくすることができる。
【００５１】
また、第１実施形態では、上記のように、２本の電力供給線２４のそれぞれに挟まれるように配置されたＬＡＮケーブル２３の端部近傍に、ＬＡＮケーブル２３とは別のＬＡＮケーブル４０と接続するためのＬＡＮポート２１を設けることによって、２本の電力供給線２４と長さを合わせるためにＬＡＮケーブル２３が短くなったとしても、ＬＡＮケーブル２３に対して、ＬＡＮケーブル４０とをＬＡＮポート２１において容易に接続することができるので、ＬＡＮケーブルのみを容易に長くすることができる。
【００５２】
また、第１実施形態では、上記のように、２本の電力供給線２４とＬＡＮケーブル２３とが分岐する部分の近傍に設けられたノイズ除去部材２７を備えることによって、たとえば、液晶テレビジョン用ケーブル２０としてまとめられた電力供給線２４またはＬＡＮケーブル２３から発せられるノイズを除去することができるので、液晶テレビジョン用ケーブル２０としてまとめられた電力供給線２４またはＬＡＮケーブル２３が互いに影響を及ぼしてしまうのを抑制することができる。
【００５３】
また、第１実施形態では、上記のように、略台形形状（扁平形状）の外形形状を有する第２保護被覆２６を、半透明にすることによって、第２保護被覆２６を着色する場合と比べて第２保護被覆２６を目立ちにくくすることができる。
【００５４】
また、第１実施形態では、上記のように、略台形形状（扁平形状）の外形形状を有する第２保護被覆２６の表面に、第２保護被覆２６を接着しやすくするための梨地加工を施すことによって、たとえば、液晶テレビジョン用ケーブル２０を壁面などの設置場所に固定する際に、容易に、ケーブルを壁面に接着させることができる。
【００５５】
また、第１実施形態では、上記のように、液晶テレビジョン用ケーブル２０の２本の電力供給線２４のそれぞれをＬＡＮケーブル２３を挟むようにＬＡＮケーブル２３の両側に配置することによって、略台形形状（扁平形状）の外形形状を有する液晶テレビジョン用ケーブル２０を用いて、容易に、外部入力装置３０と、液晶テレビジョン１０との間で映像信号の送受信を確実に行うことができる。
【００５６】
また、第１実施形態では、上記のように、外部入力装置３０からの映像信号が、外部入力装置３０に取り付けられたＬＡＮケーブル４０、ＬＡＮポート２１およびＬＡＮケーブル２３を介して、液晶テレビジョン１０に送信されるように構成することによって、ＬＡＮケーブル２３と、外部入力装置３０に取り付けられたＬＡＮケーブル４０とが容易に接続されるので、外部入力装置３０と、液晶テレビジョン１０との間で映像信号の送受信を確実に行うことができる。
【００５７】
（第２実施形態）
次に、図５を参照して、本発明の第２実施形態によるテレビジョンシステム１０１の構成について説明する。この第２実施形態によるテレビジョンシステム１０１では、液晶テレビジョン用ケーブル２０の第２保護被覆２６が略台形形状（台形に近い形状）の外形形状に構成された第１実施形態とは異なり、液晶テレビジョン用ケーブル１２０の第２保護被覆１２６が長方形形状の外形形状に構成された例について説明する。なお、液晶テレビジョン用ケーブル１２０は、本発明の「表示装置用ケーブル」および「テレビジョン装置用ケーブル」の一例である。
【００５８】
第２実施形態による液晶テレビジョン用ケーブル１２０の第２保護被覆１２６は、略長方形形状（扁平形状）の外形形状を有するように構成されている。具体的には、液晶テレビジョン用ケーブル１２０の第２保護被覆１２６は、矢印Ｙ１方向側が設置場所（面）側である場合には、Ｙ方向の長さ（ケーブル厚み）Ｌ３は、Ｘ方向の長さ（ケーブル幅）Ｌ４よりも小さくなるような横長の長方形形状に形成されている。
【００５９】
なお、第２実施形態のその他の構成は、上記第１実施形態と同様である。
【００６０】
第２実施形態では、上記のように、第２保護被覆１２６を長方形形状の扁平形状の外形形状を有するように構成することによって、たとえば、第２保護被覆１２６が円形形状の外形形状を有するように構成する場合と比べて、第２保護被覆１２６の設置面からの突出高さ（ケーブル厚みＬ３）を小さくすることができるとともに、第２保護被覆１２６のケーブル幅Ｌ３を大きくすることができる。これにより、液晶テレビジョン用ケーブル１２０を壁などの設置場所（設置面）に配置した際に、液晶テレビジョン用ケーブル１２０の保護被覆１２６と、設置場所（面）との接触面積を大きくすることができるとともに、設置面からの突出量も小さくすることができるので、容易に壁などの設置場所（面）に液晶テレビジョン用ケーブル１２０を設置することができる。
【００６１】
なお、第２実施形態のその他の効果は、上記第１実施形態と同様である。
【００６２】
（第３実施形態）
次に、図６を参照して、本発明の第３実施形態によるテレビジョンシステム１０２の構成について説明する。この第３実施形態によるテレビジョンシステム１０２では、液晶テレビジョン用ケーブル２０の第２保護被覆２６が略台形形状（台形に近い形状）の外形形状に構成された第１実施形態とは異なり、液晶テレビジョン用ケーブル２２０の第２保護被覆２２６が横長の楕円形状の外形形状に構成された例について説明する。なお、液晶テレビジョン用ケーブル２２０は、本発明の「表示装置用ケーブル」および「テレビジョン装置用ケーブル」の一例である。
【００６３】
第３実施形態による液晶テレビジョン用ケーブル２２０の第２保護被覆２２６は、楕円形状（扁平形状）の外形形状を有するように構成されている。具体的には、液晶テレビジョン用ケーブル２２０の第２保護被覆２２６は、矢印Ｙ１方向側が設置場所（面）側である場合には、Ｙ方向の長さ（ケーブル厚み）Ｌ５は、Ｘ方向の長さ（ケーブル幅）Ｌ６よりも小さくなるように形成されている。
【００６４】
なお、第３実施形態のその他の構成は、上記第１実施形態と同様である。
【００６５】
第３実施形態では、上記のように、第２保護被覆２２６を楕円形状の外形形状を有するように構成することによって、たとえば、第２保護被覆２２６が円形形状の外形形状を有するように構成する場合と比べて、第２保護被覆２２６の設置面からの突出高さ（ケーブル厚みＬ５）を小さくすることができるとともに、第２保護被覆２２６のケーブル幅Ｌ６を大きくすることができる。これにより、液晶テレビジョン用ケーブル２２０を壁などの設置場所（設置面）に配置した際に、液晶テレビジョン用ケーブル２２０の保護被覆２２６と、設置場所（面）との接触面積を大きくすることができるとともに、設置面からの突出量も小さくすることができるので、容易に壁などの設置場所（面）に液晶テレビジョン用ケーブル２２０を設置することができる。
【００６６】
なお、第３実施形態のその他の効果は、上記第１実施形態と同様である。
【００６７】
（第４実施形態）
次に、図７を参照して、本発明の第４実施形態によるテレビジョンシステム１０３の構成について説明する。この第４実施形態によるテレビジョンシステム１０３では、液晶テレビジョン用ケーブル２０の第２保護被覆２６が略台形形状（台形に近い形状）の外形形状に構成された第１実施形態とは異なり、液晶テレビジョン用ケーブル３２０の保護被覆３２６が２本の電力供給線２４に対応する両端部３２６ａの厚みｔ１よりも電気信号線２２に対応する中央部３２６ｂの厚みｔ２の方が小さくなるような扁平の外形形状に構成された例について説明する。なお、液晶テレビジョン用ケーブル３２０は、本発明の「表示装置用ケーブル」および「テレビジョン装置用ケーブル」の一例である。
【００６８】
第４実施形態による液晶テレビジョン用ケーブル３２０の２本の電力供給線２４および８本の電気信号線２２は、Ｘ方向に一列に並べられて配置されている。２本の電力供給線２４の表面には、金属メッキ加工が施されることにより、着色されている。
【００６９】
また、第４実施形態では、保護被覆３２６は、２本の電力供給線２４と、８本の電気信号線２２との両方を一体的に直接覆っている。また、保護被覆３２６は、透明のプラスチック（ビニル樹脂）からなる。なお、透明のプラスチックとは、半透明のプラスチックや着色された半透明のプラスチックなども含む広い概念である。
【００７０】
また、第４実施形態では、液晶テレビジョン用ケーブル３２０の保護被覆３２６は、保護被覆３２６の２本の電力供給線２４に対応する両端部３２６ａのＹ方向の厚みｔ１よりも、保護被覆３２６の電気信号線２２に対応する中央部３２６ｂのＹ方向の厚みｔ２の方が小さくなるように形成されている。また、液晶テレビジョン用ケーブル３２０の保護被覆３２６は、矢印Ｙ１方向側が設置場所（面）側である場合には、Ｙ方向の長さ（ケーブル厚み）Ｌ７は、Ｘ方向の長さ（ケーブル幅）Ｌ８よりも小さくなるような扁平形状に形成されている。
【００７１】
また、液晶テレビジョン用ケーブル３２０の電気信号線２２と電気信号線２２との間の距離Ｌ９は、８本の電気信号線２２のうちの最も外側に配置された電気信号線２２と電力供給線２４との間の距離Ｌ１０よりも小さい。また、保護被覆３２６の電力供給線２４と電気信号線２２との境界部分に対応する部分３２６ｃは、滑らかに傾斜するように形成されている。
【００７２】
また、液晶テレビジョン用ケーブル３２０の保護被覆３２６の電力供給線２４に対応する両端部３２６ａは、電力供給線２４の外形形状を反映した略円形形状の外形形状に形成されている。また、液晶テレビジョン用ケーブル３２０の保護被覆３２６の８本の電気信号線２２に対応する中央部３２６ｂは、略平坦面状に形成されている。
【００７３】
なお、第４実施形態のその他の構成は、上記第１実施形態と同様である。
【００７４】
第４実施形態では、上記のように、保護被覆３２６を２本の電力供給線２４に対応する両端部３２６ａの厚みｔ１よりも電気信号線２２に対応する中央部３２６ｂの厚みｔ２の方が小さい形状を有するように構成することによって、たとえば、保護被覆３２６が円形形状の外形形状を有するように構成する場合と比べて、保護被覆３２６の設置面からの突出高さ（ケーブル厚みＬ７）を小さくすることができるとともに、保護被覆３２６のケーブル幅Ｌ８を大きくすることができる。これにより、液晶テレビジョン用ケーブル３２０を壁などの設置場所（設置面）に配置した際に、液晶テレビジョン用ケーブル３２０の保護被覆３２６と、設置場所（面）との接触面積を大きくすることができるとともに、設置面からの突出量も小さくすることができるので、容易に壁などの設置場所（面）に液晶テレビジョン用ケーブル３２０を設置することができる。
【００７５】
また、第４実施形態では、上記のように、保護被覆３２６が、２本の電力供給線２４と、電気信号線２２との両方を直接覆うとともに、扁平形状の外形形状を有することによって、２本の電力供給線２４と電気信号線２２との両方が１つの保護被覆３２６により直接覆われるので、２本の電力供給線２４と電気信号線２２との両方が複数の保護被覆により覆われる場合と比べて、表示装置用ケーブル３２０の構造を簡素化させることができる。
【００７６】
なお、第４実施形態のその他の効果は、上記第１実施形態と同様である。
【００７７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７８】
たとえば、上記第１〜第４実施形態では、テレビジョン装置の一例として液晶テレビジョンに本発明を適用した例について示したが、本発明はこれに限らず、液晶テレビジョン以外のブラウン管テレビジョンや、テレビジョン機能を有するＰＣ（パーソナルコンピュータ）のモニタや、プラズマテレビジョンなどのテレビジョン装置に本発明を適用してもよい。
【００７９】
また、上記第１〜第４実施形態では、表示装置用ケーブルの一例として、液晶テレビジョン用ケーブルを示したが、本発明はこれに限らず、液晶テレビジョン以外の表示装置にも適用可能である。
【００８０】
また、上記第１〜第３実施形態では、第２保護被覆の外形形状を略台形形状（台形に近い形状）、長方形形状および楕円形状のうちのいずれか１つの扁平形状に形成された例を示したが、本発明はこれに限らず、第２保護被覆の外形形状が扁平な形状であれば、上記した形状以外の形状でもよい。
【００８１】
また、上記第１〜第４実施形態では、ＬＡＮケーブルの一例として、１０Ｂａｓｅ−Ｔ、１００Ｂａｓｅ−ＴＸおよびＡＴＭ（非同期転送モード）などの高速ＬＡＮに使用されるカテゴリー５（ＣＡＴ５）のＬＡＮケーブルを適用した例について説明したが、本発明はこれに限らず、電気信号を外部入力装置から液晶テレビジョンに送信可能であれば、カテゴリー５（ＣＡＴ５）以外のＬＡＮケーブルでも適用可能である。
【００８２】
また、上記第１〜第４実施形態では、第１ＬＡＮケーブルの一例として、８本の電気信号導線を適用する例を示したが、本発明はこれに限らず、８本以外の本数でもよい。
【００８３】
また、上記第１〜第３実施形態では、第１ＬＡＮケーブルの電気信号導線を２列に積み重ねて構成する例を示したが、本発明はこれに限らず、図８に示す変形例のテレビジョンシステム１０４の液晶テレビジョン用ケーブル４２０のように、電気信号導線２２を互いに隣り合うようにＸ方向に１列に並べて配置してもよい。これにより、液晶テレビジョン用ケーブル４２０の第２保護被覆４２６の外形形状を上記実施形態１〜３と比べてケーブル厚みの小さいより扁平にすることが可能である。なお、第２保護被覆の外形形状が扁平形状であれば、電気信号導線２２を１列または２列以外の配列で配置してもよい。
【００８４】
また、上記第１〜第４実施形態では、ＬＡＮポートの一例として、ＲＪ４５モジュラジャックを適用する例を示したが、本発明はこれに限らず、ＲＪ４５モジュラジャック以外の接続端子を適用してもよい。
【００８５】
また、上記第１〜第３実施形態では、半透明の第２保護被覆を適用する例を示したが、本発明はこれに限らず、第２保護被覆の色を液晶テレビジョン用ケーブルを配置する設置場所（面）の色と同じ色にしてもよい。
【００８６】
また、上記第１〜第４実施形態では、電気信号線の一例として、ＬＡＮケーブルを適用する例を示したが、本発明はこれに限らず、ＨＤＭＩ規格に対応したＨＤＭＩケーブルを適用することも可能である。この場合、外部入力装置に設けられた信号変換部、および、液晶テレビジョンに設けられた信号変換部を省略される。そして、外部入力装置の送信部から出力されたＨＤＭＩ信号をＨＤＭＩケーブルを介して液晶テレビジョン側に伝送されるように構成する。
【符号の説明】
【００８７】
１０  液晶テレビジョン（表示装置）（テレビジョン装置）
２０、１２０、２２０、３２０、４２０  液晶テレビジョン用ケーブル（表示装置用ケーブル）
２２  電気信号導線
２３  ＬＡＮケーブル（電気信号線）（第１ＬＡＮケーブル）
２４  電力供給線
２５  第１保護被覆（保護被覆）
２６、１２６、２２６、４２６  第２保護被覆（保護被覆）
２７  ノイズ除去部材
３０  外部入力装置
４０  ＬＡＮケーブル（第２ＬＡＮケーブル）
１００、１０１、１０２  テレビジョンシステム
３２６  保護被覆
３２６ａ  両端部
３２６ｂ  中央部
【図１】
2011003331.tif 000003
【図２】
2011003331.tif 000004
【図３】
2011003331.tif 000005
【図４】
2011003331.tif 000006
【図５】
2011003331.tif 000007
【図６】
2011003331.tif 000008
【図７】
2011003331.tif 000009
【図８】
2011003331.tif 000010